(57)【要約】【課題】  財布に収納可能なカ−ド型爪研ぎ器を提供する。【解決手段】  厚さ寸法０．１ｍｍ〜０．５ｍｍの薄板に複数の透孔を配設し、前記透孔の鋭い縁部で爪を削れるようにしたものであって、前記薄板の表面側で爪を削る透孔と，裏面側で爪を削る透孔とを配設した構成。前記透孔は方形、円形、多角形、スリット状、文字から選ばれた少なくとも一つとした。【選択図】図１
0003167760.tif 000002
【実用新案登録請求の範囲】
【請求項１】
厚さ寸法０．１ｍｍ〜０．５ｍｍの薄板に複数の透孔を配設し、前記透孔の縁部で爪を削れるようにしたものであって、前記薄板の表面側で爪を削る透孔と，裏面側で爪を削る透孔とを配設したことを特徴とする爪研ぎ器。
【請求項２】
透孔を方形、円形、多角形、スリット状、文字から選ばれた少なくとも一つとしたことを特徴とする爪研ぎ器。
【請求項３】
薄板の外形を財布に収納可能な略カードサイズの方形としたことを特徴とする請求項１〜２のいずれか１項に記載の爪研ぎ器。
【考案の詳細な説明】
【技術分野】
【０００１】  本考案は、キャッシュカード型など財布に収納可能なカ−ド型爪研ぎ器に関する。
【背景技術】
【０００２】  従来の爪研ぎ器として一般的にヤスリが用いられている。また、金属製薄板に多数の透孔を穿設形成し、該透孔の表面側縁部に縁取り刃を形成し、前記金属製薄板の周囲を把持枠で囲んだことを特徴とするカ−ド型爪磨きが特開平７−８３１８号公報に提案されている。
【特許文献１】特開平７−８３１８号公報
【考案の概要】
【考案が解決しようとする課題】
【０００３】  しかし従来のヤスリは細長く、先端部が尖っているため携帯に適さず、ポケットや財布に収納しにくい不便さがあった。また、特許文献１における爪磨きは、透孔の表面側縁部に縁取り刃を配設するのみで、爪を削る面は表面側の片面のみである。裏側面は透孔の縁部が曲面を成し爪を削れない。また、金属製薄板の周囲を把持枠で囲んでいるので爪研ぎ器の厚さ寸法が大きくなり財布にスムーズに入れ難い面が有った。【０００４】  本考案は薄く、軽く、嵩張らず、財布やポケット、バッグ等に容易に収納でき、携帯に便利な爪研ぎ器を提供することを目的とする。また、低価格を実現する。さらに、爪研ぎ器の表面と裏面の両面側で爪を研げることを目的とする。
【課題を解決するための手段】
【０００５】  本考案にかかる爪研ぎ器は、厚さ寸法０．１ｍｍ〜０．５ｍｍの薄板に複数の透孔を配設し、前記透孔の鋭い縁部で爪を削れるようにしたものであって、前記薄板の表面側で爪を削る透孔と裏面側で爪を削る透孔とを配設したことを特徴としたもので、これにより表面と裏面の両面側で爪を研げる。また、薄く、軽く、嵩張らず、財布やポケット、バッグ等に容易に収納でき、携帯に便利である。さらに、プレス加工やレーザー加工により安価に製作できる。【０００６】  さらに、本考案にかかる爪研ぎ器は上記記載において、透孔を方形、円形、多角形、スリット状、文字から選んだ少なくとも一つとしたことを特徴としたもので、これにより透孔のパターンを任意に選択できデザイン性に優れる。また、ヤスリの粗さに相当する透孔を一枚のカードに複数種類、容易に配設できる。【０００７】  さらに、本考案にかかる爪研ぎ器は上記記載において、薄板の外形を財布に収納可能な略カードサイズの方形（プリペイトカード、キャッシュカード型など）としたことを特徴としたもので、これにより財布やポケット、バッグ等に容易に収納できる。
【考案の効果】
【０００８】  上記構成により本考案の爪研ぎ器は、財布やポケット、バッグ等に容易に収納でき、軽くて嵩張らず携帯に便利な爪研ぎ器を提供できる。また、低価格を実現する。さらに、ヤスリの粗さに相当する透孔の形状や配置パターンを一枚のカードに複数種類、容易に配設できる。
【図面の簡単な説明】
【０００９】
【図１】  本考案の一実施例における爪研ぎ器の平面図
【図２】  図１を切断線Ｓ１〜Ｓ１で切断したスリット（透孔）の要部拡大断面図
【図３】  図１を切断線Ｓ２〜Ｓ２で切断したスリット（透孔）の要部拡大断面図
【図４】  図１を湾曲させて爪を研ぐ過程を示す図
【考案を実施するための形態】
【００１０】  本考案にかかる爪研ぎ器は上述の通りである。爪研ぎ器を構成する薄板は金属部材シートで構成するのが望ましい。勿論、樹脂部材シートで構成してもよい。樹脂部材シートとしては例えば、厚さが０．２ｍｍ〜０．８ｍｍ程度の塩化ビニルシート、ポプロピレン（ＰＰ）、ポリエチレンテレフタレート（ＰＥＴ）、ポリエチレン（ＰＥ）、ポリスチレン（ＰＳ）等、任意の一般的樹脂部材を用いればよい。
金属部材シートとしては例えば、厚さが０．１ｍｍ〜０．５ｍｍ程度のステンレス鋼板、軟鋼板、バネ鋼板、ニッケル板、亜鉛メッキ鋼板等、任意の一般金属部材を用いればよい。また、金属板に黒色や金色、青色等のカラーメッキを任意に施してもよい。
【００１１】  爪研ぎ器の外形は、財布に収納可能な略カードサイズの方形（プリペイトカード、キャッシュカード型など）とするのが望ましい。透孔の縁部に爪を削る機能を持たせるには、透孔の縁部を切れ刃のごとく鋭くシャープエッジに仕上げるのが望ましい。前記透孔はストレート状、または斜めに傾けた透孔などとするのが望ましい。前記透孔はファインブランキング加工（プレス加工）またはレーザー加工のいずれか一方により配設するのが望ましい。透孔の形状としては、方形、円形、多角形、スリット状、文字から選択した少なくとも一つとするのが望ましい。透孔の配置パターンは多行または多列、または多行多列など任意に設定してよいことは自明である。
【実施例】
【００１２】  以下、本考案の爪研ぎ器を図面とともに説明する。図１は本考案の一実施例における爪研ぎ器の平面図、図２は図１を切断線Ｓ１〜Ｓ１で切断したスリット（透孔）の要部拡大断面図、図３は図１を切断線Ｓ２〜Ｓ２で切断したスリット（透孔）の要部拡大断面図である。【００１３】  図１〜図３に示す爪研ぎ器１００は、厚さ寸法０．１５ｍｍのステンレス鋼板をカードサイズ例えば縦５５ｍｍ、横８５ｍｍに切断し、隅部に半径３ｍｍの丸みを形成した。前記カードサイズシートの下端側に幅０．５ｍｍ、長さ６ｍｍのスリット状の透孔１０を配設ピッチ１ｍｍで３０列ずつ、２箇所並べて設けた。さらに、前記カードサイズシートの上端側に幅０．５ｍｍ、長さ６ｍｍのスリット状の透孔３０を略１５度傾けて、配設ピッチ１ｍｍで３０列ずつ、２箇所並べて設けた。【００１４】  上記のカード型形状及び各スリット（透孔１０、透孔３０）の加工はレーザー加工により行った。前記透孔１０は裏面側よりレーザー光線を照射した。その結果、切れ刃の役割を果たす鋭い縁部は表面側に形成され、裏面側の透孔縁部はダレた曲面となる。前記透孔３０は表面側よりレーザー光線を照射した。その結果、切れ刃の役割を果たす鋭い縁部は裏面側に形成され、表面側の透孔縁部はダレた曲面となる。このように本考案の爪研ぎ器１００は表面側と裏面側の両面で爪を研げるように構成している。なお、図１の実施例では上下に表面側切れ刃と裏面側切れ刃を配置したが、カードの左側半分に表面側切れ刃を、右側半分に裏面側切れ刃を配置するなど任意に構成してよいことは自明である。【００１５】  図４は前記爪研ぎ器１００を凸状に湾曲させ指７０の爪７１を研ぐ過程を示す図である。図４は研ぎ方の一例であって、爪の研ぎ方は凹状に湾曲させた爪研ぎ器１００に爪を擦るようにしてもよいし、爪研ぎ器１００をフラットな状態で爪に当接するようにしてもよい。または机上に爪研ぎ器１００を置き、爪研ぎ器１００の透孔に爪を擦るようにするなど任意の形態で実施してよいことは自明である。（いずれも図示せず）【００１６】  なお、本考案の爪研ぎ器は爪の他に皮膚の角質部を削る場合にも利用できる。
【符号の説明】
【００１７】１０  スリット（透孔）
２０  鋭い縁部（切れ刃）
２１  ダレた縁部（曲面）
３０  傾けたスリット（透孔）
７０  指
７１  爪
１００  爪研ぎ器
【図１】
0003167760.tif 000003
【図２】
0003167760.tif 000004
【図３】
0003167760.tif 000005
【図４】
0003167760.tif 000006
【手続補正書】
【提出日】平成23年2月21日(2011.2.21)
【手続補正１】
【補正対象書類名】実用新案登録請求の範囲
【補正対象項目名】全文
【補正方法】変更
【補正の内容】
【実用新案登録請求の範囲】
【請求項１】
厚さ寸法０．１ｍｍ〜０．５ｍｍの薄板に複数の透孔を配設し、前記透孔の縁部を略直角の鋭いシャープエッジ状に仕上げて爪を削れるようにしたものであって、前記薄板の表面側で爪を削る透孔と，裏面側で爪を削る透孔とを配設したことを特徴とする爪研ぎ器。
【請求項２】
透孔を方形、円形、多角形、スリット状、文字から選ばれた少なくとも一つとしたことを特徴とする請求項１記載の爪研ぎ器。
【請求項３】
薄板の外形を財布に収納可能な略カードサイズの方形としたことを特徴とする請求項１〜２のいずれか１項に記載の爪研ぎ器。
【手続補正２】
【補正対象書類名】明細書
【補正対象項目名】０００５
【補正方法】変更
【補正の内容】
【０００５】  本考案にかかる爪研ぎ器は、厚さ寸法０．１ｍｍ〜０．５ｍｍの薄板に複数の透孔を配設し、前記透孔の縁部を略直角の鋭いシャープエッジ状に仕上げて爪を削れるようにしたものであって、前記薄板の表面側で爪を削る透孔と，裏面側で爪を削る透孔とを配設したことを特徴としたもので、これにより表面と裏面の両面側で爪を研げる。また、薄く、軽く、嵩張らず、財布やポケット、バッグ等に容易に収納でき、携帯に便利である。さらに、プレス加工やレーザー加工により安価に製作できる。
【手続補正３】
【補正対象書類名】明細書
【補正対象項目名】００１１
【補正方法】変更
【補正の内容】
【００１１】  爪研ぎ器の外形は、財布に収納可能な略カードサイズの方形（プリペイトカード、キャッシュカード型など）とするのが望ましい。透孔の縁部に爪を削る機能を持たせるには、透孔の縁部を切れ刃のごとく略直角の鋭いシャープエッジに仕上げるのが望ましい。前記透孔はストレート状、または斜めに傾けた透孔などとするのが望ましい。前記透孔はファインブランキング加工（プレス加工）またはレーザー加工のいずれか一方により配設するのが望ましい。透孔の形状としては、方形、円形、多角形、スリット状、文字から選択した少なくとも一つとするのが望ましい。透孔の配置パターンは多行または多列、または多行多列など任意に設定してよいことは自明である。